(57)【要約】【課題】電気融雪器に損傷を与えることなく、簡易な構成で容易に引抜き可能な電気融雪器差し込み形引抜き工具を提供する。【解決手段】電気融雪器の引抜き装置１は、操作部２と支持金具４とが交差する状態で交差保持部６により保持されている。支持金具４は、交差保持部６に対して所定の回動範囲内で回動自在である。操作部２は上方のハンドルバー２ａと下方の先端金具２ｂとから構成されている。この先端金具２ｂは、二股のフォーク状に形成されている。支持金具４の一端にはレールの側方を保持できる略Ｕ字形のレール保持部４ａが形成されている。また、支持金具４には長手方向に沿って複数の調節用貫通孔４ｂが形成されている。調節用貫通孔４ｂは、長さ調節ノブ６ｂの先端に設けられた貫通ピン（図示せず）により回動可能に貫通支持される。操作部２に対する支持金具４の高さは、高さ調節ノブ６ａを緩めることにより調節可能である。【選択図】図１
2014136925.tif 000002
【特許請求の範囲】
【請求項１】
棒状の加熱体及びこの加熱体よりも大径の端子部からなるレール用の電気融雪器を引抜く工具であって、
上側にハンドル部、下側に前記端子部へ当接可能な当接部、が設けられた操作杆と、
一端に前記レールの上板部を回動可能に保持するレール保持部が設けられた支持金具と、
前記操作杆と前記支持金具とを交差配置で且つ相対回動自在に保持し、前記操作杆の交差位置を調節する操作杆調節部、前記支持金具の交差位置を調節する支持金具調節部、を有する交差保持部と、
を備えたことを特徴とする電気融雪器差し込み形引抜き工具。
【請求項２】
前記操作杆調節部は、回転操作により前記操作杆の側面へ向かって進退し、進出により前記操作杆を押圧固定可能な調節ノブを有することを特徴とする請求項１に記載の電気融雪器差し込み形引抜き工具。
【請求項３】
前記支持金具は、長手方向に沿って複数の調節用貫通孔が形成され、
前記支持金具調節部は、前記調節用貫通孔の何れか１つに貫通配置可能な貫通ピンを備えていることを特徴とする請求項１又は２に記載の電気融雪器差し込み形引抜き工具。
【請求項４】
前記レール保持部は、前記レールの上板の側方へ係合可能に、略Ｕ字形に開口していることを特徴とする請求項１から３の何れか１項に記載の電気融雪器差し込み形引抜き工具。
【発明の詳細な説明】
【技術分野】
【０００１】
本発明は、鉄道のレール下に設置された電気融雪器の差し込み形引抜き工具に関するものである。
【背景技術】
【０００２】
降雪量の多い地域の鉄道ではレール上の積雪や凍結が問題となる。特に、分岐器が凍結すると、軌道の切り換えが行えなくなるので、問題は重大である。
【０００３】
このため、従来から、レールを加熱するための様々な方式が用いられている。このうち、カンテラやバーナーなどを用いた融雪手段に比べ、電気式の融雪器は操作性の面で優れている。
【０００４】
図８は、従来の電気融雪器１０２の設置状態を示している。この図８には、レール１００の下側で枕木１０１に沿って配置される電気融雪器１０２と、レール１００の側面に沿って配置される電気融雪器１０３とが示されている。このような電気融雪器１０２、１０３を分岐器に設置すると、電気制御により容易に融雪又は凍結防止操作を行うことができる。図８の電気融雪器については、特許文献１に開示例がある。
【先行技術文献】
【特許文献】
【０００５】
【特許文献１】実開平５−０３０２０３号公報
【発明の概要】
【発明が解決しようとする課題】
【０００６】
しかしながら、上述のような電気融雪器１０２、１０３のうち、レール１００の下に延びている電気融雪器１０２は、長期使用により枕木１０１等に対して固着し、保守・点検の際にレール下から引抜くのが困難な場合がある。
【０００７】
そしてこのような場合、リード線１０４に繋がる端子部１０２ａを把持して加熱体１０２ｂをレール１００の下から引抜く際に、無理な方向に強大な力を働かせると、加熱体１０２ｂに損傷を与える恐れがある。
【０００８】
そこで、本発明では、電気融雪器に損傷を与えることなく、簡易な構成で容易に引抜き可能な電気融雪器差し込み形引抜き工具を提供することを目的とする。
【課題を解決するための手段】
【０００９】
上記目的を達成するために、本発明の電気融雪器差し込み形引抜き工具は、棒状の加熱体及びこの加熱体よりも大径の端子部からなるレール用の電気融雪器を引抜く工具であって、上側にハンドル部、下側に端子部へ当接可能な当接部、が設けられた操作杆と、一端にレールの上板部を回動可能に保持するレール保持部が設けられた支持金具と、操作杆と支持金具とを交差配置で且つ相対回動自在に保持し、操作杆の交差位置を調節する操作杆調節部、支持金具の交差位置を調節する支持金具調節部、を有する交差保持部と、を備えたことを特徴とする。
【００１０】
また、本発明の電気融雪器差し込み形引抜き工具は、上記構成に加えて、操作杆調節部は、回転操作により操作杆の側面へ向かって進退し、進出により操作杆を押圧固定可能な調節ノブを有することを特徴とする。
【００１１】
また、本発明の電気融雪器差し込み形引抜き工具は、上記構成に加えて、支持金具は、長手方向に沿って複数の調節用貫通孔が形成され、支持金具調節部は、調節用貫通孔の何れか１つに貫通配置可能な貫通ピンを備えていることを特徴とする。
【００１２】
また、本発明の電気融雪器差し込み形引抜き工具は、上記構成に加えて、レール保持部は、前記レールの上板の側方へ係合可能に、略Ｕ字形に開口していることを特徴とする。
【発明の効果】
【００１３】
以上説明したように、本発明によれば、操作杆調節部の調節により、支持金具の高さをレールの高さに合わせることができる。また、支持金具調節部の調節により支持金具をレールの側方に当接させ、レールをレール保持部で保持できる。さらに、支持金具に対して相対回動自在に配置された操作杆をレール側へ回動すると、端子部に当接した下側の当接部をレールから離れる方向へ回動させることができる。当接部がレールから離れる方向へ回動すると、レール保持部がレールの上板部を回動可能に保持しているので、支持金具はレール保持部を中心として下方へ回動する。
【００１４】
このように、当接部による電気融雪器の押し出しに伴って、支持金具がレール保持部を中心として下方に回動するので、当接部は略水平な軌道に沿ってレールから離れる。これにより、当接部から電気融雪器に対して曲げ方向の力が加わることがないので、電気融雪器の損傷を防止できる。
【００１５】
また、本発明によれば、調節ノブを操作杆から退避させた状態で、操作杆は交差保持部に対して移動可能となり、調節ノブを操作杆へ向かって進出させた状態で、操作杆は交差保持部に押圧固定される。
【００１６】
このように、調節ノブの押圧機構のように、簡易な構成で操作杆の長手方向における交差保持部の位置を容易に調節することができ、操作性に優れる。
【００１７】
また、本発明によれば、支持金具の調節用貫通孔を貫通ピンによって選択的に貫通させると、支持金具の揺動中心を容易に変更することができる。
【００１８】
このように、簡易な構成によりレールと操作杆との距離を調節することができる。
【００１９】
また、本発明によれば、レール保持部は略Ｕ字形に形成されているので、側方からレールに向かって略水平に移動させることにより、レールと係合し、保持することができる。
【００２０】
このように、極めて簡易な構成により、支持金具でレールを保持することができるので、作業効率が著しく向上する。
【図面の簡単な説明】
【００２１】
【図１】本発明の実施の形態に係る電気融雪器差し込み形引抜き工具の全体斜視図である。
【図２】図１の電気融雪器の引抜き装置において、操作部に対する支持金具の高さを調節する交差保持部の機構を示した図である。
【図３】図１の電気融雪器の引抜き装置において、支持金具の水平方向位置を調節する交差保持部の機構を示した図である。
【図４】図１の電気融雪器の引抜き装置において、支持金具の操作部に対する回動の様子を示した図である。
【図５】図１の電気融雪器の引抜き装置を、レール及び電気融雪器に対して設置した状態を示した図である。
【図６】図１の電気融雪器の引抜き装置の使用状態を示した説明図である。
【図７】図６（ｄ）の状態における支持金具及び先端金具周辺の拡大図である。
【図８】従来の電気融雪器のレールへの設置状態を示した図である。
【発明を実施するための形態】
【００２２】
本発明の実施の形態に係る電気融雪器差し込み形引抜き工具について、図を用いて説明する。同一部材・同一構成については、同一符号を付して示す。
【００２３】
先ず、図１に、本発明の実施の形態に係る電気融雪器１０２（後に図５を用いて説明する。）の引抜き装置１の全体斜視図を示す。引抜き装置１では、操作部２（操作杆）と支持金具４とが交差配置されている。図１に示す配置では、操作部２と支持金具４とは、略直交に配置されている。これら操作部２と支持金具４とは、略立方体形状の交差保持部６により交差状態で保持されている。この交差保持部６には、高さ調節ノブ６ａ（操作杆調節部）と長さ調節ノブ６ｂ（支持金具調節部）とが設けられており、後に説明するように、操作部２と支持金具４との交差位置を調節することができる。
【００２４】
支持金具４は、１対の板状部材が互いの面を対向させて構成されている。支持金具４の一端には、側方に開口した略Ｕ字状のレール保持部４ａが形成されている。また、このレール保持部４ａには、レールの上面に載置される載置当接部４ｃと、レールの側面に当接する側面当接部４ｄと、レール上板部１００ａ（後に図５を用いて説明する。）の下方側に当接する突き上げ防止部４ｅとが形成されている。
【００２５】
次に、図２を用いて、支持金具４の高さ調節機構について説明する。図２には、移動前の支持金具４を実線で示し、移動後の支持金具４を二点鎖線で示している。支持金具４を操作部２に対して略直交する配置で保持している交差保持部６のうち、支持金具４が延びる方向の側面には高さ調節ノブ６ａ（操作杆調節部）が設けられている。この高さ調節ノブ６ａはネジ式になっており、締め込むと、先端（図示せず）は操作部２の側面に当接可能となるように構成されている。
【００２６】
このように構成されているので、高さ調節ノブ６ａを操作することにより、支持金具４の高さを容易にレールの高さに合わせることが可能となる。
【００２７】
続いて、図３を用いて、支持金具４の長手方向の位置調節機構について説明する。１対の支持金具４には、それぞれ、長手方向に調節用貫通孔４ｂが一列に並んで形成されている。一方、交差保持部６のうち、支持金具４の長手方向と直交する２つの側面には、それぞれ長さ調節ノブ６ｂ（支持金具調節部）が設けられている。この長さ調節ノブ６ｂの（交差保持部６内の）先端には貫通ピン（図示せず）が設けられている。この貫通ピンは、長さ調節ノブ６ｂを支持金具４に直交する方向へ進退させることにより、調節用貫通孔４ｂの何れかを選択的に貫通することができる。これにより、支持金具４のレール方向へ延びる長さを調節することができる。また、貫通ピンは回動する支持金具４の回動中心となっている。
【００２８】
このように構成することにより、高さとは独立に、容易な操作でレール保持部４ａをレールの側面に当接保持させることが可能となる。
【００２９】
次に、図４を用いて、支持金具４の操作部２に対する相対回動機構について説明する。交差保持部６には、支持金具４が配置される領域に回動規制凹部６ｃが形成されている。これは、図２にも表れている。この回動規制凹部６ｃは、鉛直に配置された操作部２を基準として、略水平な位置から４５度程度の仰角までの範囲に、支持金具４の回動域を規制
している。この規制された回動域内においては、支持金具４は操作部２に対して相対回動自在である。
【００３０】
このように構成されているので、支持金具４のレール保持部４ａがレールを保持した状態において、操作部２のハンドルバー２ａが交差保持部６を中心にして回動可能となる。これにより、操作部２の下方の先端金具２ｂ（当接部）が円弧運動する。本実施の形態では、この先端金具２ｂは、二股のフォーク状に形成されており、間に電気融雪器１０２の加熱体１０２ｂを収容することができる。すなわち、先端金具２ｂの間に加熱体１０２ｂを収容し、ハンドルバー２ａを回動させると、円弧運動する先端金具２ｂによって、電気融雪器１０２をスムーズに引抜くことができる。
【００３１】
このような引抜き装置１の設置状態を図５に示す。図５に示しているように、引抜き装置１の支持金具４のレール保持部４ａは、レール１００の上板部１００ａを側方から保持している。本実施の形態では、レール保持部４ａとレール１００（の上板部１００ａ）との間には、若干の遊びが設けられており、上板部１００ａの周りに支持金具４が回動可能となっている。また、操作部２の下方に設けられた先端金具２ｂは、電気融雪器１０２のうち、端子部１０２ａ近傍の加熱体１０２ｂ部分を内側に収容するように配置されている。このように配置した状態で、操作部２の上方のハンドルバー２ａをレール側へ傾けると、先端金具２ｂがレール１００から離れる方向に移動し、梃子の作用で端子部１０２ａを容易に引き出すことができる。
【００３２】
次に、図６を用いて、引抜き装置１の設置手順について説明する。図６中、バラスト（地面）は斜線を施して示している。また、このバラストに埋まった枕木１０１などの地中部分は点線で示されている。
【００３３】
図６（ａ）は、先端金具２ｂ（図１参照）をバラストに突き立てるようにして、操作部２を略垂直に設置した状態を示している。この状態では、まだ、各部の位置調節は行われていない。
【００３４】
図６（ｂ）は、レール１００の高さに支持金具４を合わせた状態を示している。この支持金具４の高さは、図２を用いて説明したように交差保持部６の側面の高さ調節ノブ６ａ（図２参照）を操作することにより調節できる。
【００３５】
図６（ｃ）は、レール１００の側方に支持金具４が当接配置された状態を示している。この状態は、図３を用いて説明したように、交差保持部６の側面に配置されている長さ調節ノブ６ｂ（図３参照）を操作することにより支持金具４をレール１００側へ伸ばし、レール保持部４ａ（図１参照）をレール１００の側方に当接させることにより形成できる。
【００３６】
図６（ｄ）は、鉛直方向に配置されていたハンドルバー２ａをレール１００側へ傾けた状態を示している。このハンドルバー２ａの傾動操作により、操作部２は支持金具４に対して交差保持部６を中心に相対回動し、下端の先端金具２ｂはレール１００から離れる方向に回動する。これにより、電気融雪器１０２がレール１００から引抜かれる。
【００３７】
なお、上記図６（ａ）〜（ｄ）の一連の操作による電気融雪器１０２の引き出し量が十分ではない場合、再び操作部２を端子部１０２ａの近傍に突き立てて、図６（ａ）〜（ｄ）の操作が繰り返される。
【００３８】
ここで、図６（ｄ）の状態を詳しく説明するために、支持金具４及び先端金具２ｂ周辺の構成を拡大して図７に示す。
【００３９】
図７は、操作部２がレール１００側へ傾けられ、先端金具２ｂによって電気融雪器１０
２が引抜かれるときの様子を示している。図７中において、一点鎖線８は、レール１００の高さの水平位置を示している。また、一点鎖線９は、支持金具４の中心線を示している。この図７から分かるように、下端の先端金具２ｂが電気融雪器１０２をレール１００から引抜く際、操作部２が交差保持部６を中心に支持金具４に対して回動すると同時に、支持金具４は、レール１００に当接する側面当接部４ｄを支点として下方へ回動する。これにより、先端金具２ｂは、地面に対して略水平（矢印１０の向き）に移動することができる。また、先端金具２ｂは、二股のフォーク状に形成されているので、バラストの抵抗を受けて先端金具２ｂに上下動が生じた場合であっても、この上下動は加熱体１０２ｂには伝達されない。したがって、電気融雪器１０２は加熱体１０２ｂに曲げ方向の力を受けることなく、長手方向に沿ってスムーズに引抜かれ、損傷を最小限に抑えることが可能である。
【００４０】
ところで、操作部２を鉛直方向からレール１００側へ傾ける初動時には、支持金具４に沿ってレール１００へ略水平方向（一点鎖線８に沿った方向）へ力が働く。本実施の形態に係る引抜き装置１の支持金具４のレール保持部４ａには、レール１００の上面に載置される載置当接部４ｃと側面当接部４ｄとが設けられているので、安定してレール１００を保持することができる。
【００４１】
一方、操作部２がレール１００側へ大きく傾いた状態では、上述のように、支持金具４が下方へ傾く。このとき、引抜かれる電気融雪器１０２から受ける反力は、支持金具４に沿ってレール１００を斜め上方へ突き上げる方向へ働く。これに対して、本実施の形態では、レール保持部４ａの下側に突出する突き上げ防止部４ｅが設けられている。これにより、操作部２の回動が進んだ状態においても、レール保持部４ａは安定してレール１００の側面を保持し続けるので、安全に作業を行うことが可能である。
【００４２】
なお、上記実施の形態では、先端金具２ｂが二股のフォーク状に形成された構成を例として示したが、これ以外の形状でも構わない。例えば、端子部から加熱体が２本延びているような形状の電気融雪器に対しては、これら２本の加熱体の間に差し込むことのできる１本の先端部を形成しても良い。また、２本の加熱体の間と両外側に３本延びるフォーク状に形成しても構わない。
【００４３】
また、上記実施の形態では、回動規制凹部６ｃによる支持金具４の回動域が、略水平から４５度の仰角となる範囲に構成されている例を示した。しかし、レール保持部４ａに、レール１００の上面に載置される載置当接部４ｃが設けられていれば、支持金具４の水平姿勢を保持できるので、このような回動規制凹部６ｃは設けられていなくても構わない。
【００４４】
また、上記実施の形態では、作業手順について、支持金具４の高さ調節をした後に、支持金具４の水平方向位置を調節する例を示した。しかし、これらの作業手順は逆であっても構わない。
【００４５】
また、上記実施の形態では、支持金具４に調節用貫通孔４ｂを形成し、この調節用貫通孔４ｂに対して長さ調節ノブ６ｂの先端に設けた貫通ピンを貫通させることにより、支持金具４を回動自在に支持する構成を例として示した。しかし、交差保持部６に対して支持金具４を回動自在に支持でき、且つ、レールまでの長さ調節ができる構造であれば、他の構成であっても構わない。例えば、調節用貫通孔４ｂの中間の深さ位置まで係合可能な凸部を長さ調節ノブ６ｂの先端に設けても良い。また、支持金具４側に調節用貫通孔４ｂではなく、凹部を長手方向に並べて形成し、前記凸部を選択的に係合させるよう構成しても構わない。
【００４６】
また、上記実施の形態では、支持金具４の一端に形成されたレール保持部４ａが、レー
ル１００側に開口し略Ｕ字形に形成された構成を例として示したが、これに限らず、レール１００の上板部１００ａを回動可能に保持できる構成であれば、他の構成であっても構わない。例えば、突き上げ防止部４ｅよりも載置当接部４ｃの方が長く突出し、上下非対称に形成されていても構わない。このように構成すると、作業中に支持金具４からレール１００に対して働いている押圧力が抜けた場合であっても、支持金具４の脱落を防止することができるので、安全性が向上する。
【符号の説明】
【００４７】
１  引抜き装置（電気融雪器差し込み形引抜き工具）
２  操作部（操作杆）
２ａ  ハンドルバー（ハンドル部）
２ｂ  先端金具（当接部）
４  支持金具
４ａ  レール保持部
４ｂ  調節用貫通孔
４ｃ  載置当接部
４ｄ  側面当接部
４ｅ  突き上げ防止部
６  交差保持部
６ａ  高さ調節ノブ（操作杆調節部）
６ｂ  長さ調節ノブ（支持金具調節部）
６ｃ  回動規制凹部
１００    レール
１００ａ  上板部（レールの上板）
１０１    枕木
１０２、１０３    電気融雪器
１０２ａ  端子部
１０２ｂ  加熱体
１０４  リード線
【図１】
2014136925.tif 000003
【図２】
2014136925.tif 000004
【図３】
2014136925.tif 000005
【図４】
2014136925.tif 000006
【図５】
2014136925.tif 000007
【図６】
2014136925.tif 000008
【図７】
2014136925.tif 000009
【図８】
2014136925.tif 000010